(57)【要約】【課題】乳児用食品又は乳児用品を、様々な方式で保管または処理するための複数の多機能室を備え、エネルギー効率を向上させることができる育児用多機能保管庫を提供する。【解決手段】育児用多機能保管庫であって、熱電素子１２２を用いて乳児用品を冷蔵する冷蔵室と、乳児用品を湯せんで温めるための湯せん室と、熱電素子１２２の放熱側から発生した熱を利用して湯せん室内の水を加熱する熱交換器１９０と、冷蔵室及び湯せん室の温度を制御する制御部とを備えるものである。【選択図】図７
2008534905.tif 000002
【特許請求の範囲】
【請求項１】
乳児用品を保管及び処理するための育児用多機能保管庫であって、
前記乳児用品を冷蔵するための冷蔵室と、
前記乳児用品を湯せんで温めるための湯せん室と、
前記冷蔵室を冷却するべくその第１の側で熱を吸収し、前記吸収した熱をその第２の側から前記湯せん室に放出するための熱電素子を備える熱交換器と、
前記冷蔵室及び前記湯せん室の温度を制御するための制御部とを含むことを特徴とする育児用多機能保管庫。
【請求項２】
前記熱交換器は、
前記熱電素子の前記第２の側に設けられ、前記熱電素子からの熱を放出するための放熱プレートと、
前記放熱プレートを覆うように設けられ、前記放熱プレートからの熱によってその中の水を加熱するためのウォータジャケットと、
湯せんで前記乳児用品を温めるため、前記湯せん室に延在し、前記ウォータジャケットからの温水を前記湯せん室を経由して循環させるための循環パイプと、
前記ウォータジャケットからの前記温水が前記循環パイプの中を循環するように、前記温水を揚水するためのポンプとを含むことを特徴とする請求項１に記載の育児用多機能保管庫。
【請求項３】
前記熱交換器は、
前記ウォータジャケットからの前記温水が前記湯せん室を経由せずに循環するように、前記循環パイプに連結されたバイパスパイプと、
前記バイパスパイプ及び前記循環パイプの連結点に結合され、前記温水の流路を切り替えるための第１及び第２の三方向弁と、
前記バイパスパイプに設けられ、前記バイパスパイプの中を流れる前記温水を冷却するためのラジエータと、
前記第１及び第２の三方向弁の動作をオン／オフするための湯せんスイッチとを更に含むことを特徴とする請求項２に記載の育児用多機能保管庫。
【請求項４】
前記湯せん室は、
前記湯せん室に着脱自在に設けられ、前記循環パイプの中を流れる前記温水によって温められる水をその中にためるための湯せん容器と、
前記湯せん室内に設けられ、前記熱交換器を介した熱の供給がない場合、前記湯せん室内の水を加熱するためのヒータとを含むことを特徴とする請求項３に記載の育児用多機能保管庫。
【発明の詳細な説明】
【技術分野】
【０００１】
本発明は育児用多機能保管庫に関し、より詳しくは、乳児用食品又は乳児用品を、様々な方式で保管又は処理するための複数の機能室を備える育児用多機能保管庫に関する。
【背景技術】
【０００２】
一般に、冷蔵庫は食べ物や飲み物を冷蔵又は冷凍状態で長時間保管する、或いは迅速に冷却するために用いられる。このような冷蔵庫は、個々の前面ドアによってそれぞれ開閉される冷凍室及び冷蔵室を含む。冷凍室及び冷蔵室に冷気を供給するため、冷蔵庫は圧縮器、凝縮器、毛細管及び冷却器を用いて冷却サイクルを実行する。圧縮器は冷媒を高温高圧状態で圧縮して、圧縮した冷媒を凝縮器に送る。そして、凝縮器は圧縮した冷媒の熱を放出することによって、圧縮した冷媒を低温低圧で凝縮する。凝縮された冷媒は、毛細管を通過する間に低温高圧の液状冷媒に変換される。低温高圧の液状冷媒は、冷凍室の後側に設けられている冷却器に送られる。冷却器に送られた冷媒は、冷却器の冷媒用パイプを通過する間に再び低圧状態に変換され、最終的に蒸発して冷凍室及び冷蔵室の温度を下げる。
【０００３】
近年、生活水準の向上に伴い、様々な種類の専用冷蔵庫が求められている。このような要求を満足させるため、例えば、キムチを熟成させるための蒸発パイプ及び熱線が設けられたキムチ冷蔵庫、熱電素子を用いて比較的小さな容積を有する化粧品保管室に保管された化粧品を冷却する化粧品専用冷蔵庫などが開発されている。
【０００４】
このような様々な種類の専用冷蔵庫が開発され、一般に利用されているにも関わらず、乳児専用の保管庫はまだ開発されていないというのが現状である。
【０００５】
乳児用食品又は乳児用品、例えば、粉ミルク、母乳、医薬品などを家庭用の一般の冷蔵庫に保管する場合、これら食品又は用品に、冷蔵庫に保管されている他の食品のにおいがついてしまう。その結果、乳児用食品又は乳児用品の品質が低下し、さらには衛生上の問題も発生し得る。また、例えば、牛乳を温めるために電子レンジを使用したとしても、牛乳を冷蔵庫から取り出した後に温めなければならないため、非常に面倒である。また、牛乳を温める、又は温かい牛乳を保管するために温蔵庫を購入することは経済的ではない。なぜなら、そのような温蔵庫は単に温める機能だけをもつものであり、他の用途には用いることができないからである。さらに、そのような温蔵庫は、通常、病院、薬局、飲食店などの商業的環境で用いられるように設計されているため、育児用として家庭で使用することには適していない。
【０００６】
さらに、一般的な家庭用殺菌装置は、通常、食器や調理用具などの台所用品を殺菌するように作られているため、このような殺菌装置は、授乳びん、ハンカチ、おもちゃなどの乳児用品を殺菌するために使用することには適していない。
【０００７】
殺菌室を備えた冷蔵庫の一例が、特許文献１に開示されている。この冷蔵庫は様々な機能を提供することによって利用者の利便性を向上させているが、大容量であるため、育児用の用途に適した機能を備えていない。
【０００８】
また、乳児用品、特に授乳びんを殺菌するための殺菌装置が多く提案されている。その中で、殺菌装置の一例が、特許文献２に開示されている。しかし、この殺菌装置は授乳びんの殺菌に限られており、その他の様々な乳児用品を適切に保管するための保管機能を備えていない。
【０００９】
【特許文献１】米国特許第４,９０９,０４０号明細書
【００１０】
【特許文献２】米国特許第５,２１３,７７６号明細書
【００１１】
従って、これまで主婦を中心に企画、流通されていた家電製品に対する既存の認識を再考することによって、乳児用食品又は用品を様々な方式で保管し、様々な機能の実行によって増加し得る電力消費量を減少させることができる製品の開発をする必要性が生まれた。
【発明の開示】
【課題を解決するための手段】
【００１２】
本発明は、上記事情に鑑みてなされたものであって、その目的は、乳児用食品又は乳児用品を、様々な方式で保管または処理するための複数の多機能室を備える育児用多機能保管庫を提供することにある。
【００１３】
本発明の他の目的は、エネルギー効率を向上させることができる育児用多機能保管庫を提供することにある。
【００１４】
このような目的を実現すべく、本発明の好適な一形態では、乳児用品を保管及び処理する育児用多機能保管庫が、前記乳児用品を冷蔵するための冷蔵室と、前記乳児用品を湯せんで温めるための湯せん室と、前記冷蔵室を冷却するべく第１の側で熱を吸収し、吸収された熱を第２の側から前記湯せん室に放出する熱電素子を備える熱交換器と、前記冷蔵室及び前記湯せん室の温度を制御する制御部とを含むことを特徴とする。
【発明を実施するための最良の形態】
【００１５】
以下、当業者が容易に本発明を実施できるように、添付の図面を参照しつつ、本発明の好適な実施形態について詳細に説明する。
【００１６】
図１は、本発明に係る育児用多機能保管庫を示す斜視図であり、図２は、本発明に係る育児用多機能保管庫のドアを開いた状態を示す斜視図であり、図３は、本発明に係る育児用多機能保管庫を制御するためのブロック図である。
【００１７】
図示のように、本発明に係る育児用多機能保管庫１００は、乳児用食品又は乳児用品を様々な方式で保管又は処理するためのものであり、その本体１１０に複数の機能室を有している。機能室は、冷蔵室１２０、冷温蔵室１３０、殺菌室１４０及び湯せん室１８０を含み、各々、乳児用食品又は用品を、冷蔵、必要に応じて冷蔵／温蔵、殺菌及び湯せんするためのものである。また、育児用多機能保管庫１００は、機能室１２０、１３０、１４０及び１８０を制御するための制御部１５０を更に有する。
【００１８】
機能室は、少なくとも１つの冷蔵室１２０、少なくとも１つの冷温蔵室１３０、少なくとも１つの殺菌室１４０、及び少なくとも１つの湯せん室１８０を含むが、冷蔵室１２０、冷温蔵室１３０、殺菌室１４０、及び／又は湯せん室１８０の数は、必要に応じて適宜追加することができる。
【００１９】
本体１１０の内側は、本体１１０の壁１１２の内側の空間を隔壁１１１によって区画することで、冷蔵空間１２１、冷温蔵空間１３１、殺菌空間１４１及び湯せん空間１８１が画定される。
【００２０】
冷蔵室１２０は、冷蔵室１２０を開閉するための第１ドア１２３を有する。また、図４に示すように、冷蔵空間１２１の後部に位置する壁１１２に第１熱電素子１２２が設けられる。電源の供給によって、第１熱電素子１２２は、一方の側で熱を吸収して周囲の空気を冷却し、その吸収された熱を反対側から放出して周囲の空気を加熱する。第１熱電素子１２２は、冷蔵空間１２１を冷却するため、第１熱電素子１２２の冷蔵空間１２１側に設けられた吸熱プレート１２４を有している。吸熱プレート１２４の反対側に放熱プレート１２５が設けられる。従って、第１熱電素子１２２は、吸熱プレート１２４を介して冷蔵空間１２１に冷気を放出し、放熱プレート１２５を介して冷蔵空間の反対側に熱を放出する。
【００２１】
また、第１熱電素子１２２から放出された冷気を冷蔵空間１２１全体に迅速に拡散させるため、吸熱プレート１２４は、例えば、熱伝導性に優れたアルミニウム（Ａｌ）のような金属材料で形成され、冷蔵空間１２１に露出するように設けられる。また、第１熱電素子１２２から放出された冷気を冷蔵空間１２１の隅々まで迅速に拡散させるため、追加の冷気拡散プレート（図示せず）を、吸熱プレート１２４の側面に、冷蔵空間１２１に露出するようにして設けることもできる。
【００２２】
一方、第１熱電素子１２２から放出された熱は、放熱プレート１２５を介して放出された後に、冷却ファン（図示せず）によって冷却することもできるが、この熱は熱交換器１９０によって水で冷却される。
【００２３】
図２及び図３に示すように、冷温蔵室１３０は、冷温蔵室１３０を開閉するための第２ドア１３３を含む。冷温蔵室１３０は、冷却／加熱ユニット１７０によって冷却又は加熱され、冷却／加熱ユニット１７０は、冷温蔵室１３０が冷蔵／温蔵温度設定部１３２で設定された所定温度レベルで維持されるように、制御部１５０によって制御される。
【００２４】
冷却／加熱ユニット１７０は、冷却及び加熱の両者の実施を、熱電素子又はヒータ及び冷却器の組合せによって行わせることもできる。図５に示す本発明の好適な実施例では、冷却／加熱ユニット１７０は、第２熱電素子１７２及びヒータ１７３を含み、各々、冷温蔵空間１３１が冷蔵／温蔵温度設定部１３２で設定された所定温度で維持されるように制御部１５０によって制御される。
【００２５】
第１熱電素子１２２と同様に、第２熱電素子１７２は、その一方に吸熱プレート１７２ａ、その反対側に放熱プレート１７２ｂを有しており、冷気拡散プレート１７２ｃが、冷温蔵空間１３１に露出するようにして、吸熱プレート１７２ａに設置される。また、放熱プレート１７２ｂの側面には、熱を放熱口１３６を介して外部に放出させるための放熱ファン１７２ｄが設置される。
【００２６】
冷温蔵空間１３１の後部にはヒータ１７３が設置され、このヒータは、電源が供給されると発熱する熱線を備えるヒーティングブロックとして機能する。また、冷温蔵空間１３１に対向する側のヒータ１７３の側面に、例えば、熱伝導性に優れたアルミニウム（Ａｌ）から作られた熱拡散プレート１７３ａが結合される。熱拡散プレート１７３ａは、冷温蔵空間１３１に露出され、ヒータ１７３からの熱を冷温蔵空間１３１に迅速に拡散させる。
【００２７】
図６に示すように、殺菌室１４０は、その内部に置かれた乳児用品を蒸気で殺菌するのに用いられる。殺菌室１４０は、殺菌空間１４１に置かれた授乳びん１などの乳児用品を蒸気で殺菌する蒸気殺菌ユニット１４２と、授乳びん１が殺菌空間１４１で殺菌された後に、それを乾燥させる乾燥ユニット１４４とを含む。
【００２８】
蒸気殺菌ユニット１４２は、殺菌空間１４１の底面に配置され、その中に水をためる蒸発容器１４２ａと、蒸発容器１４２ａの下部に設置され、蒸発容器１４２ａに熱を加えて蒸発容器１４２ａ内の水を蒸発させる蒸発ヒータ１４２ｂと、殺菌空間１４１で発生した蒸気を排出させるための第３ドア１４３に備えられた蒸気排出口１４２ｃとを含む。さらに、蒸気殺菌ユニット１４２は、蒸発ヒータ１４２ｂに設置されたバイメタルスイッチなどの過熱防止スイッチ１４２ｈ（図６では図示せず、図３を参照されたい）を更に含む。過熱防止スイッチ１４２ｈは、ヒータ１４２ｂが事前に設定した温度以上に過熱した場合に電源の供給を停止させる。
【００２９】
蒸気排出口１４２ｃは本体１１０に形成されるが、好適な実施例では、蒸気排出口１４２ｃは第３ドア１４３に形成される。また、カバー１４２ｉは、第３ドア１４３の上面の蒸気排出側に設置される。カバー１４２ｉは、蒸気が後方に向かって排出されるようにし、利用者が蒸気に直接触れることを防止する。
【００３０】
さらに、蒸気殺菌ユニット１４２は、乳児用品をその中に入れる殺菌用容器を有しており、蒸発皿１４２ａの上方に配置される。殺菌用容器は様々な形状及び構造で形成されることもできる。本発明の好適な実施例では、殺菌用容器は、授乳びん１をその上に配置するラック１４２ｅと、ラック１４２ｅをその中に収容するラックホルダ１４２ｄとを含む。ラックホルダ１４２ｄは、授乳びん１を蒸発皿１４２ａから離間させる役割を果たし、その底面には蒸気を通過させるための蒸気通過孔１４２ｆを備えている。ラックホルダ１４２ｄは、授乳びん１の殺菌が終了した後、殺菌空間１４１から容易に取り出され得る。ラック１４２ｅは、授乳びん１などの乳児用品を置くための複数のポスト１４２ｇと、複数の蒸気通過孔１４２ｊとを含む。
【００３１】
乾燥ユニット１４４は、外部から殺菌空間１４１内に空気が流入するように空気の通路を提供する吸気ダクト１４４ａと、外部の空気を殺菌空間１４１内に送るための吸気ダクト１４４ａに設置されたファン１４４ｂとを含む。乾燥ユニット１４４は、殺菌空間１４１内にクリーンな空気を供給するため、本体１１０と連通した吸気ダクト１４４ａの空気吸入側に、空気中に含まれているダストを捕らえる着脱自在のフィルタ１４４ｃを更に含む。
【００３２】
吸気ダクト１４４ａは、ファン１４４ｂの空気排出側にあるその終端１４４ｄが、蒸発容器１４２ａに近接するように構成される。従って、ファン１４４ｂによって蒸発容器１４２ａの熱が殺菌空間１４１に供給されることで、乾燥時間が短縮される。
【００３３】
引き続き図６を参照すると、湯せん室１８０は、例えば、授乳びん２の中のミルクを温めるための湯せん空間１８１を有している。湯せん空間１８１は、隔壁１１１によって区画されて本体１１０内に形成され、第４ドア１８１ａによって開閉される。その中に水をためる湯せん容器１８２は、湯せん空間１８１内に着脱自在に配置される。湯せん容器１８２内の水は、冷蔵室１２０の第１熱電素子１２２から発生する熱によって温められる。第１熱電素子１２２の熱は、後述する熱交換器１９０によって湯せん容器１８２に供給される。
【００３４】
図４及び図７を共に参照すると、熱交換器１９０は、第１熱電素子１２２の放熱側の放熱プレート１２５に設けられたウォータジャケット１９１と、ウォータジャケット１９１からの温水を湯せん室１８０を経由して循環させ、温水を冷却させる水の循環経路として機能する循環パイプ１９２と、循環パイプ１９２に設けられた循環ポンプ１９３とを含む。
【００３５】
ウォータジャケット１９１は、冷蔵室１２０の第１熱電素子１２２に設けられた放熱プレート１２５を覆うように設置されるため、ウォータジャケット１９１内の水が放熱プレート１２５から放出される熱によって加熱される。
【００３６】
循環パイプ１９２の一部は、湯せん容器１８２を加熱するように、湯せん室１８０内の湯せん容器１８２の周囲に巻きつけられ、循環パイプ１９２の両端は、ウォータジャケット１９１に連結される。
【００３７】
循環ポンプ１９３は、ウォータジャケット１９１内の水を揚水し、その水が循環パイプ１９２の中を通って循環するようにする。
【００３８】
熱交換器１９０は、第１熱電素子１２２から放出される熱を湯せん室１８０に供給すると共に、第１熱電素子１２２から放出される熱を冷却させる役割も果たす。利用者が湯せん室１８０を使用しない場合、湯せん室１８０への温水の供給を停止する必要がある。
【００３９】
熱交換器１９０は、湯せん室１８０への温水の供給を停止するため、ウォータジャケット１９１からの温水が湯せん室１８０を経由しないで循環するようなバイパスパイプ１９４を有している。このバイパスパイプ１９４は循環パイプ１９２に連結され、温水の流路を切り替える第１及び第２の三方向弁１９５、１９６が、バイパスパイプ１９４及び循環パイプ１９２の連結点ごとに設置される。また、バイパスパイプ１９４の中を流れる温水を冷却するため、ラジエータ１９７がバイパスパイプ１９４に設けられている。従って、湯せん室１８０への温水の供給を停止する必要がある場合、湯せんスイッチ１９８（図３を参照されたい）をオフにして第１及び第２の三方向弁１９５、１９６を動作させ、ウォータジャケット１９１からの温水がバイパスパイプ１９４を介して循環されるようにする。あるいはまた、湯せん室１８０が別のヒータ１８３（図６を参照されたい）を有するように構成することも可能である。冷蔵室１２０の作動が停止したため熱交換器１９０を介して熱の供給を受けられない場合、又は湯せん室１８０内の湯せん用の水を急速に加熱させる必要がある場合、ヒータ１８３を用いて湯せんを行うことができる。また、ヒータ１８３を用いるため、湯せんを迅速に行える。
【００４０】
図６を参照すると、ヒータ１８３は、内部に熱線を組み込んだヒーティングブロックを含み、湯せん容器１８２の底面に設置されている。また、電源供給コネクタ１８４ａ、１８４ｂは、湯せん容器１８２が湯せん空間１８１内に取り付けられるとき、互いに連結するように構成されている。従って、電源供給コネクタ１８４ａ、１８４ｂが連結されたとき、電源がヒータ１８３に供給される。その結果、湯せん容器１８２がヒータ１８３によって加熱される。
【００４１】
湯せん室１８０は、ヒータ１８３を駆動させるための、及び、制御部１５０の制御の下で、例えば、授乳びん２をヒータ１８３を用いて温める場合に必要な温度を設定するための、急速湯せん温度設定部１８５（図３を参照されたい）を有している。また、湯せん容器１８２がヒータ１８３によって加熱されるとき、湯せん容器１８２が水の不足により過熱するのを防止するため、湯せん容器１８２の内側に水位を検知するための水位センサ１８６が設けられている。水位センサ１８６からの検知信号は制御部１５０に送られ、湯せん容器１８２内の水位が設定値以下である場合、制御部１５０はヒータ１８３の駆動を停止させる。
【００４２】
再び図３を参照すると、制御部１５０は、冷蔵室１２０、冷温蔵室１３０及び殺菌室１４０内に各々設けられた第１〜第３温度センサ１５１、１５２、１５３からの検知信号を受信する。そして、制御部１５０は、冷蔵室１２０の第１熱電素子１２２、冷温蔵室１３０の冷却／加熱ユニット１７０及び蒸気殺菌ユニット１４２のヒータ１４２ｂの動作をそれぞれ制御し、冷蔵室１２０、冷温蔵室１３０及び殺菌室１４０の内部温度が、冷蔵温度設定部１２９、冷蔵／温蔵温度設定部１３２及び殺菌温度設定部１４７の各々によって設定された温度で維持されるようにする。また、制御部１５０は、スイッチ１４５の操作に応じて乾燥ユニット１４４のファン１４４ｂも制御する。
【００４３】
さらに、制御部１５０は、湯せんスイッチ１９８をオン／オフすることによって、第１及び第２の三方向弁１９５、１９６を動作させ、それによって、ウォータジャケット１９１内の温水を湯せん室１８０に供給する又は温水の供給を停止する。また、制御部１５０は、急速湯せん温度設定部１８５からの信号及び湯せん空間１８１の内部温度を検出する第４温度センサ１５４からの検知信号に応じて、ヒータ１８３を制御し、その内部温度が急速湯せん温度設定部１８５によって設定された温度で維持されるようにする。
【００４４】
冷蔵温度設定部１２９、冷蔵／温蔵温度設定部１３２、殺菌温度設定部１４７、急速湯せん温度設定部１８５、及びスイッチ１４５、１９８は、本体の１１０の前面に備えられた制御パネル１６０（図１を参照されたい）に設置される。
【００４５】
以下、前述した構成を有する育児用多機能保管庫１００の動作について説明する。
【００４６】
冷蔵室１２０には、乳児用食品（特に、母乳）、乳児用医薬品、乳児用化粧品などが保管される。冷蔵室１２０に保管されたこれらの用品は、冷気が第１熱電素子１２２から放出された後、吸熱プレート１２４を介して冷蔵空間１２１に拡散することによって冷却される。
【００４７】
冷温蔵室１３０は、冷温蔵室１３０の内部温度を冷蔵／温蔵温度設定部１３２によって設定された温度で維持するため、冷却／加熱ユニット１７０によって制御される。例えば、離乳食用の野菜及び果物の場合は３℃〜４℃、乳児用化粧品の場合は７℃、乳児用医薬品の場合は１０℃、熱帯果物類の場合は８℃〜１２℃、温かい飲み物又は漢方薬の場合は３５℃〜４０℃で保管することができる。また、保管しようとする食品又は用品の種類に応じて冷却／加熱温度を自由に調節することもできる。
【００４８】
殺菌室１４０は、蒸気殺菌ユニット１４２によって、すなわち蒸発容器１４２ａ内の水をヒータ１４２ｂによって蒸発させることで発生する蒸気を利用して、殺菌空間１４１内に保管されている授乳びん１、ハンカチ及びおもちゃなどの乳児用品を殺菌する。また、殺菌室１４０は、乾燥ユニット１４４のファン１４４ｂによって送風される空気により乳児用品を乾燥させる。
【００４９】
湯せん室１８０は、冷蔵室１２０の第１熱電素子１２２の放熱側から放出される熱によって加熱される。第１熱電素子１２２の熱は、熱交換器１９０によって湯せん室１８０に送達される。このとき、循環ポンプ１９３を介して供給される温水によって湯せん容器１８２内の水が温められる。従って、殺菌室１４０に保管された乳児用品を容易に温めることができ、母乳、水、飲み物、漢方薬などを湯せんによって簡単に温めることもできる。一方、湯せん室１８０を使用しない場合、湯せんスイッチ１９８をオフにして第１及び第２の三方向弁１９５、１９５を動作させ、温水が湯せん室１８０を経由せずに、バイパスパイプ１９４を介して循環されるようにする。このとき、温水はバイパスパイプ１９４に設けられたラジエータ１９７を通過することによって冷却されるため、第１熱電素子１２２から放出された熱を連続的に冷却することができる。
【００５０】
一方、冷蔵室１２０の作動を停止させる場合又は湯せん室１８０内の湯せん用の水を急速に温める場合、急速湯せん温度設定部１８５を操作し、ヒータ１８３によって湯せん容器１８２内の水を加熱する。ここで、湯せん温度は、急速湯せん温度設定部１８５を用いて自由に設定することができる。また、水位センサ１８６によって湯せん容器１８２内の水位を測定しながらヒータ１８３を駆動させるため、ヒータ１８３が過熱するのを防止することもできる。
【００５１】
上記した本発明の好適な実施例によれば、乳児用食品又は用品を、冷蔵室及び湯せん室などの様々な機能室を備える１つの装置で、様々な方式で保管又は処理することができる。従って、利用者の利便性を向上させ、育児にかかる時間を減少させることができる。また、冷蔵室に設けられた熱電素子から発生した熱を利用して湯せん室内の水を温めることで、エネルギー効率を高めることができる。さらに、湯せん室内に追加的に設置されているヒータを、必要に応じて動作させることによって湯せん室内の温度を急速に上げることもできる。
【００５２】
以上、本発明の好適な実施例について図示及び説明を行ってきたが、本発明は、特許請求の範囲に記載された各請求項で規定される本発明の精神及び範囲を逸脱することなく、様々な変更及び変形をすることができることは当業者には明らかであろう。
【図面の簡単な説明】
【００５３】
【図１】本発明に係る育児用多機能保管庫を示す斜視図である。
【図２】本発明に係る育児用多機能保管庫のドアを開いた状態を示す斜視図である。
【図３】本発明に係る育児用多機能保管庫を制御するためのブロック図である。
【図４】本発明に係る冷蔵室の熱電素子を含むアセンブリの一部を示す側断面図である。
【図５】本発明に係る育児用多機能保管庫の冷温蔵室の一部を示す側断面図である。
【図６】本発明に係る育児用多機能保管庫の殺菌室及び湯せん室を示す正面断面図である。
【図７】本発明に係る育児用多機能保管庫で湯せんを行うための熱交換器を示すブロック図である。
【図１】
2008534905.tif 000003
【図２】
2008534905.tif 000004
【図３】
2008534905.tif 000005
【図４】
2008534905.tif 000006
【図５】
2008534905.tif 000007
【図６】
2008534905.tif 000008
【図７】
2008534905.tif 000009
【国際調査報告】
2008534905.tif 000010
2008534905.tif 000011